(57)【要約】【課題】プロペラファンとプロペラファン用脱臭フィルタが重合した二重構造となる範囲が狭く軽量で薄型であるとともに、上記プロペラファンの回転時の流動抵抗が小さいため、上記プロペラファン用脱臭フィルタが剥がれにくく、上記プロペラファンの回転時の異音及び振動を抑制することが可能であるとともに、さらには上記プロペラファン用脱臭フィルタによる空気の脱臭及び清浄化能力を大幅に高めることが可能なプロペラファン、これを用いた扇風機及び該プロペラファン用の脱臭フィルタを提供する。【解決手段】任意枚数の羽根体Ｂ１０に開口部Ｂ１２を形成するとともに、該開口部Ｂ１２の外周に、プロペラファン用脱臭フィルタＣ１を装着可能な段差部Ｂ１０ａを形成して、該段差部Ｂ１０ａに上記脱臭フィルタＣ１を固着することによって、上記開口部Ｂ１２を上記脱臭フィルタＣ１で封止する。【選択図】        図１
2007009923.tif 000002
【特許請求の範囲】
【請求項１】
任意枚数の羽根体を有し、回動させることにより前方に空気を圧送するプロペラファンであって、
上記羽根体に開口部を形成するとともに、該開口部をプロペラファン用脱臭フィルタで封止するべくなしたことを特徴とするプロペラファン。
【請求項２】
任意枚数の羽根体を有し、回動させることにより前方に空気を圧送するプロペラファンであって、
少なくとも１枚の上記羽根体に開口部を形成するとともに、該開口部の外周にプロペラファン用脱臭フィルタを装着可能な段差部を形成して、該段差部に上記プロペラファン用脱臭フィルタを固着することによって、上記開口部を上記プロペラファン用脱臭フィルタで封止するべくなしたことを特徴とするプロペラファン。
【請求項３】
上記プロペラファン用脱臭フィルタの上記プロペラファンの段差部への固着が、上記プロペラファンの気体を圧送する面側となっていることを特徴とする請求項１又は２に記載のプロペラファン。
【請求項４】
上記プロペラファン用脱臭フィルタの上記プロペラファンの段差部への固着が、上記プロペラファンの気体を圧送する面の裏面側となっていることを特徴とする請求項１又は２に記載のプロペラファン。
【請求項５】
上記プロペラファン用脱臭フィルタの上記プロペラファンへの固着が、面ファスナーによって着脱自在になされたものであることを特徴とする請求項１又は２又は３又は４に記載のプロペラファン。
【請求項６】
上記プロペラファン用脱臭フィルタの上記プロペラファンへの固着が、両面接着テープによって着脱自在になされたものであることを特徴とする請求項１又は２又は３又は４に記載のプロペラファン。
【請求項７】
上記プロペラファン用脱臭フィルタの上記プロペラファンへの固着が、凹部と凸部との嵌着によって着脱自在になされたものであることを特徴とする請求項１又は２又は３又は４に記載のプロペラファン。
【請求項８】
上記プロペラファン用脱臭フィルタが、活性炭によるものであることを特徴とする請求項１又は２又は３又は４又は５又は６又は７に記載のプロペラファン。
【請求項９】
上記プロペラファン用脱臭フィルタが、静電フィルタによるものであることを特徴とする請求項１又は２又は３又は４又は５又は６又は７に記載のプロペラファン。
【請求項１０】
上記プロペラファン用脱臭フィルタが、活性炭と静電フィルタを組み合わせたものであることを特徴とする請求項１又は２又は３又は４又は５又は６又は７に記載のプロペラファン。
【請求項１１】
上記請求項１又は２又は３又は４又は５又は６又は７又は８又は９又は１０に記載のプロペラファンが装着されていることを特徴とする扇風機。
【請求項１２】
装着されるプロペラファンに形成されている開口部を封止可能な外形に形成されることを特徴とするプロペラファン用脱臭フィルタ。
【請求項１３】
表層側には静電気が帯電した静電フィルタが配設され、該静電フィルタの内側には該静電フィルタに被包される活性炭粒子を含有する活性炭フィルタが配設された二層構造になされることを特徴とする請求項１２に記載のプロペラファン用脱臭フィルタ。
【発明の詳細な説明】
【技術分野】
【０００１】
本発明は、プロペラファン、扇風機、プロペラファン用脱臭フィルタに関するものであり、特に、プロペラファンによって圧送される圧送風の脱臭及び清浄化を図る技術に関するものである。
【背景技術】
【０００２】
従来、プロペラファンの片面或いは両面の面上部に、活性炭などからなる脱臭フィルタを装着することによって、プロペラファンによって圧送される圧送風の脱臭及び清浄化を図る技術が開示されている（例えば、実開昭５８−１５６５２１号公報）。この技術のような構成とすることによって、プロペラファンが回転すると活性炭が空気に触れるため、プロペラファンから圧送される空気を脱臭及び清浄化することができる。つまり、汎用の扇風機、或いは換気扇などに装着するだけで、該汎用の扇風機、或いは換気扇などに、空気を脱臭及び清浄化する略空気清浄機としての機能を付加することができるとするものである。
【０００３】
なお、出願人は、原出願の出願時において先行技術文献の調査は行っておらず、記載すべき先行技術文献は存在しない。
【発明の開示】
【発明が解決しようとする課題】
【０００４】
しかし、上述したプロペラファンの表裏面上部への上記プロペラファン用脱臭フィルタの装着は、プロペラファンは従前のものをそのまま用いているため、上記プロペラファン用脱臭フィルタが装着された部位は、上記プロペラファンと上記プロペラファン用脱臭フィルタが重合した二重構造となっている。そのため、重量及び厚さが上記脱臭フィルタの分だけ、重くまた厚いものとなっていた。
【０００５】
また、上記プロペラファンから上記プロペラファン用脱臭フィルタが突出するものとなるため、上記プロペラファンの回転時に上記プロペラファン用脱臭フィルタ周りの空気の流れが乱されて流動抵抗が大きくなり、上記プロペラファン用脱臭フィルタが剥がれ易いとともに、上記プロペラファンの回転時に異音及び振動が生じ易い構成となっていた。
【０００６】
また、上記プロペラファン用脱臭フィルタの片面は上記プロペラファンに当接しているため、上記プロペラファン用脱臭フィルタの何れか一方の面しか空気と触れることができず、上記プロペラファン用脱臭フィルタの吸着面積が狭く、上記プロペラファン用脱臭フィルタの能力が十分ではなかった。
【０００７】
そこで、本発明は、上記プロペラファンと上記プロペラファン用脱臭フィルタが重合した二重構造となる範囲が狭く軽量で薄型であるとともに、上記プロペラファンの回転時の流動抵抗が小さいため、上記プロペラファン用脱臭フィルタが剥がれにくく、上記プロペラファンの回転時の異音及び振動を抑制することが可能であるとともに、さらには上記プロペラファン用脱臭フィルタによる空気の脱臭及び清浄化能力を大幅に高めることが可能なプロペラファン、これを用いた扇風機及び該プロペラファン用の脱臭フィルタの提供を目的とするものである。
【課題を解決するための手段】
【０００８】
本発明は上記問題点を解決するために創作されたものであって、第１には、任意枚数の羽根体を有し、回動させることにより前方に空気を圧送するプロペラファンであって、上記羽根体に開口部を形成するとともに、該開口部をプロペラファン用脱臭フィルタで封止するべくなしたことを特徴とするものである。
【０００９】
この第１の構成のプロペラファンにおいては、上記羽根体に開口部を形成するとともに、該開口部をプロペラファン用脱臭フィルタで封止するべくなしているため、上記プロペラファン用脱臭フィルタによる空気の脱臭及び清浄化効果が得られるとともに、上記プロペラファンと上記プロペラファン用脱臭フィルタとが重合した二重構造となる範囲が狭くなり、よって、軽量で薄型のプロペラファンとすることができる。また、上記羽根体に開口部を形成しているため、上記プロペラファン用脱臭フィルタの両面が空気に触れることができる。そのため、上記羽根体の両面で、上記プロペラファン用脱臭フィルタによる空気の脱臭及び清浄化効果を得ることができ、よって、空気の脱臭及び清浄化能力を大幅に高めることができる。
【００１０】
また、第２には、任意枚数の羽根体を有し、回動させることにより前方に空気を圧送するプロペラファンであって、少なくとも１枚の上記羽根体に開口部を形成するとともに、該開口部の外周にプロペラファン用脱臭フィルタを装着可能な段差部を形成して、該段差部に上記プロペラファン用脱臭フィルタを固着することによって、上記開口部を上記プロペラファン用脱臭フィルタで封止するべくなしたことを特徴とする。
【００１１】
この第２の構成のプロペラファンにおいては、上記開口部の外周にプロペラファン用脱臭フィルタを装着可能な段差部を形成して、該段差部に上記プロペラファン用脱臭フィルタを固着するべくなされているため、上記プロペラファンと上記プロペラファン用脱臭フィルタとが略フラット面となり、上記構成１の作用に加えて、上記プロペラファンの回転時の流動抵抗が小さくなるため、上記プロペラファン用脱臭フィルタが剥がれにくく、また上記プロペラファンの回転時の異音及び振動を抑制することが可能になる。
【００１２】
また、第３には、上記第１又は２の構成において、上記プロペラファン用脱臭フィルタの上記プロペラファンの段差部への固着が、上記プロペラファンの気体を圧送する面側となっていることを特徴とする。
【００１３】
この第３の構成のプロペラファンにおいては、上記プロペラファン用脱臭フィルタの上記プロペラファンの段差部への固着が、上記プロペラファンの気体を圧送する面側となっているため、十分に空気と上記プロペラファン用脱臭フィルタが接触しえて、上記プロペラファン用脱臭フィルタによる空気の脱臭及び清浄化能力をより高めることができる。
【００１４】
また、第４には、上記第１又は２の構成において、上記プロペラファン用脱臭フィルタの上記プロペラファンの段差部への固着が、上記プロペラファンの気体を圧送する面の裏面側となっていることを特徴とする。
【００１５】
この第４の構成のプロペラファンにおいては、上記プロペラファン用脱臭フィルタの上記プロペラファンの段差部への固着が、上記プロペラファンの気体を圧送する面の裏面側となっているため、上記プロペラファンの回転時には上記プロペラファン用脱臭フィルタが、上記プロペラファンの表側へ引き付けられて上記プロペラファンに張り付く方向に付勢される。そのため、上記プロペラファン用脱臭フィルタ端部からの剥がれ、脱離をより抑制することが可能になる。
【００１６】
また、第５には、上記第１又は２又は３又は４の構成において、上記プロペラファン用脱臭フィルタの上記プロペラファンへの固着が、面ファスナーによって着脱自在になされたものであることを特徴とする。また、第６には、上記第１又は２又は３又は４の構成において、上記プロペラファン用脱臭フィルタの上記プロペラファンへの固着が、両面接着テープによって着脱自在になされたものであることを特徴とする。また、第７には、上記第１又は２又は３又は４の構成において、上記プロペラファン用脱臭フィルタの上記プロペラファンへの固着が、凹部と凸部との嵌着によって着脱自在になされたものであることを特徴とする。
【００１７】
この第５又は６又は７の構成のプロペラファンにおいては、上記プロペラファン用脱臭フィルタの上記プロペラファンへの固着が、簡略な構成によって着脱自在になされているため、上記プロペラファン用脱臭フィルタの交換を容易に行うことが可能になる。
【００１８】
また、第８には、上記第１又は２又は３又は４又は５又は６又は７の構成において、上記プロペラファン用脱臭フィルタが、活性炭によるものであることを特徴とする。また、第９には、上記第１又は２又は３又は４又は５又は６又は７の構成において、上記プロペラファン用脱臭フィルタが、静電フィルタによるものであることを特徴とする。また、第１０には、上記第１又は２又は３又は４又は５又は６又は７の構成において、上記プロペラファン用脱臭フィルタが、活性炭と静電フィルタを組み合わせたものであることを特徴とする。
【００１９】
この第８又は９又は１０の構成のプロペラファンにおいては、安価で簡略な構成によって、圧送風の脱臭及び清浄化について、十分な効果を有するプロペラファン用脱臭フィルタとすることが可能になる。特に、上記プロペラファン用脱臭フィルタに静電フィルタを用いたものにあっては、摩擦によって帯電を高めることができるものである場合には、上記プロペラファンの回転速度を高めるほど上記静電フィルタの静電気の帯電を高めることができるため、上記プロペラファン用脱臭フィルタの脱臭効果を更に高めることができるなど独特の効果を有するものとなる。
【００２０】
また、第１１には、上記第１又は２又は３又は４又は５又は６又は７又は８又は９又は１０の構成のプロペラファンが装着されていることを特徴とする。よって、軽量で薄型な構成で圧送風の脱臭及び清浄化を図ることができる扇風機とすることが可能になる。
【００２１】
また、第１２には、装着されるプロペラファンに形成されている開口部を封止可能な外形に形成されることを特徴とする。
【００２２】
この第１２の構成のプロペラファン用脱臭フィルタにおいては、好適にプロペラファンに形成されている開口部を封止することができ、プロペラファンとプロペラファン用脱臭フィルタとを、より一体化することが可能になる。
【００２３】
また、第１３には、上記第１２の構成において、表層側には静電気が帯電した静電フィルタが配設され、該静電フィルタの内側には該静電フィルタに被包される活性炭粒子を含有する活性炭フィルタが配設された二層構造になされることを特徴とする。
【００２４】
この第１３の構成のプロペラファン用脱臭フィルタにおいては、表層側には静電気が帯電した静電フィルタが配設され、該静電フィルタの内側には該静電フィルタに被包される活性炭粒子を含有する活性炭フィルタが配設された二層構造になされているため、圧送風の脱臭及び清浄化機能をより高めることができる。
【発明の効果】
【００２５】
本発明に基づくプロペラファンによれば、上記羽根体に開口部を形成するとともに、該開口部をプロペラファン用脱臭フィルタで封止するべくなしているため、上記プロペラファン用脱臭フィルタによる空気の脱臭及び清浄化効果が得られるとともに、上記プロペラファンと上記プロペラファン用脱臭フィルタとが重合した二重構造となる範囲が狭くなり、よって、軽量で薄型のプロペラファンとすることができる。また、上記羽根体に開口部を形成しているため、上記プロペラファン用脱臭フィルタの両面が空気に触れることができる。そのため、上記羽根体の両面で上記プロペラファン用脱臭フィルタによる空気の脱臭及び清浄化効果を得ることができ、空気の脱臭及び清浄化能力を大幅に高めることができる。
【００２６】
また、本発明の扇風機によれば、軽量で薄型な構成で圧送風の脱臭及び清浄化を図ることができる扇風機とすることが可能になる。
【００２７】
また、本発明のプロペラファン用脱臭フィルタによれば、好適にプロペラファンに形成されている開口部を封止することができ、プロペラファンとプロペラファン用脱臭フィルタとを、より一体化することが可能になる。
【発明を実施するための最良の形態】
【００２８】
本発明の実施の形態としての実施例を図面を利用して説明する。本発明に基づくプロペラファンＡ１は、図１に示されるように、ファン本体Ｂ１、プロペラファン用脱臭フィルタ（以下脱臭フィルタとのみ述べる。）Ｃ１を有している。
【００２９】
上記ファン本体Ｂ１は、図２及び図３に示すように、樹脂成形によって３枚の羽根体Ｂ１０が軸体Ｂ２０に固着されて形成されており、上記プロペラファンＡ１の骨組みを形成している。また、上記３枚の羽根体Ｂ１０の裏面側（風が圧送される方向の裏側）には、それぞれ、中心側に上記脱臭フィルタＣ１の装着が可能となるように上記脱臭フィルタＣ１の外形形状と略同一形状に形成された一定の幅を有する段差部Ｂ１０ａがループ状に形成されており、その内部側に開口部Ｂ１２が形成されている。
【００３０】
上記脱臭フィルタＣ１は、図４及び図５に示すように、略半楕円状を呈しているとともに、表層側には静電気が帯電した静電フィルタＣ１０が配設され、該静電フィルタＣ１０の内側には該静電フィルタＣ１０に被包される活性炭粒子を含有する活性炭フィルタＣ２０が配設された二層構造になされている。従って、圧送風の脱臭及び清浄化機能をより高めることができる。
【００３１】
また、上述したように、上記羽根体Ｂ１０の段差部Ｂ１０ａが、上記脱臭フィルタＣ１の外形形状と略同一形状に形成されているため、上記脱臭フィルタＣ１は、上記羽根体Ｂ１０の段差部Ｂ１０ａに好適に装着することができ、上記羽根体Ｂ１０の開口部Ｂ１２を上記脱臭フィルタＣ１によって封止することが可能になる。また、上記脱臭フィルタＣ１の外周縁部には全周に渡って、図４に示すように、両面接着テープＴ１０が予め貼付されている。
【００３２】
次に、本実施例の作用及び効果を説明する。上述したように両面接着テープＴ１０が貼付された上記脱臭フィルタＣ１を、図６に示すように、各上記羽根体Ｂ１０の段差部Ｂ１０ａに合わせて、各上記羽根体Ｂ１０の裏面側から上記両面接着テープＴ１０によって装着して、上記プロペラファンＡ１とする。そして、その状態で図８に示すように、上記プロペラファンＡ１を扇風機Ｐ１の回転軸に軸着する。
【００３３】
従って、図７に示すように、上記した如くファン本体Ｂ１は、樹脂成形によってなる３枚の羽根体Ｂ１０が軸体Ｂ２０に一体に成形されていて、該羽根体Ｂ１０に設けられている開口部Ｂ１２が上記脱臭フィルタＣ１によって封止されるため、上記扇風機Ｐ１の回転駆動時には、上記扇風機Ｐ１から圧送される風は、上記脱臭フィルタＣ１による空気の脱臭及び清浄化効果が得られるとともに、上記開口部Ｂ１２を有しているため、上記プロペラファンＡ１と上記脱臭フィルタＣ１が重合した二重構造となる範囲が狭く軽量で薄型のプロペラファンとすることができる。
【００３４】
また、この場合に、各上記羽根体Ｂ１０の段差部Ｂ１０ａに上記脱臭フィルタＣ１を固着するべくなされているため、上記羽根体Ｂ１０と上記脱臭フィルタＣ１とが図７に示すように略フラット面となる。そのため、上記プロペラファンＡ１の回転時の流動抵抗が小さくなるため、上記脱臭フィルタＣ１が端部から剥がれにくく、また上記プロペラファンＡ１の回転時の異音及び振動を抑制することが可能になる。
【００３５】
また、上記脱臭フィルタＣ１の上記プロペラファンＡ１の段差部Ｂ１０ａへの固着が、上記プロペラファンＡ１の気体を圧送する面の裏面側となっているため、上記プロペラファンＡ１の回転時には上記脱臭フィルタＣ１が、上記プロペラファンＡ１の表側へ引き付けられて上記プロペラファンＡ１に張り付く方向に付勢される。そのため、上記脱臭フィルタＣ１の剥がれ、脱離をより抑制することが可能になる。
【００３６】
また、上記脱臭フィルタＣ１の上記プロペラファンＡ１への固着が、上述したように、上記両面接着テープＴ１０によって着脱自在になされているため、上記脱臭フィルタＣ１の交換を容易に行うことができる。
【００３７】
また、上述したように、上記脱臭フィルタＣ１が静電フィルタと活性炭フィルタからなる二層構造になされているため、圧送風の脱臭及び清浄化機能をより高めることができる。さらに、表層側に静電フィルタが配設されるため、上記脱臭フィルタＣ１が摩擦によって帯電を高めることができるものである場合には、上記プロペラファンＡ１の回転速度を高めるほど上記静電フィルタの静電気の帯電を高めることができるため、上記脱臭フィルタＣ１の脱臭効果を更に高めることができる。
【００３８】
さらに、上記羽根体Ｂ１０に開口部Ｂ１２を形成しているため、上記脱臭フィルタＣ１の両面が空気に触れることができる。そのため、上記羽根体Ｂ１０の両面で上記脱臭フィルタＣ１による空気の脱臭及び清浄化効果を得ることができ、空気の脱臭及び清浄化能力を大幅に高めることができる。
【００３９】
なお、本願発明は、上述した実施例の構成のみに限定されるものではなく、多様な態様が可能である。例えば、図９に示すように、上述した実施例と同様にファン本体Ｂ２は、樹脂成形によってなる３枚の羽根体Ｂ１０が軸体Ｂ２０に固着されて形成されていて、かつ、該羽根体Ｂ１０に設けられている開口部Ｂ１２に沿って設けられている段差部Ｂ１０ａにループ側の面ファスナーＭ１０を全周に渡って固着するとともに、プロペラファン用脱臭フィルタＣ２の外周縁部に全周に渡ってフック側の面ファスナーＭ２０を固着する構成のプロペラファンＡ２としても良い。
【００４０】
そして、上記ループ側の面ファスナーＭ１０とフック側の面ファスナーＭ２０を係着させることによって、上記羽根体Ｂ１０に上記脱臭フィルタＣ２をワンタッチで固着する。このように構成しても、上記実施例と全く同様な効果を得ることができるとともに、上記脱臭フィルタＣ２の交換時に、使用された上記脱臭フィルタＣ２を水などによって洗浄し、再びその洗浄された上記脱臭フィルタＣ２を上記羽根体Ｂ１０に上記面ファスナーＭ１０、Ｍ２０を用いて固着して、再使用することもできる。
【００４１】
また、図１０に示すように、上述実施例と同様にファン本体Ｂ３は、樹脂成形によってなる３枚の羽根体Ｂ１０が軸体Ｂ２０に固着されて形成されていて、かつ、該羽根体Ｂ１０の開口部Ｂ１２に沿って設けられている段差部Ｂ１０ａに複数の凸部Ｓ１０を均等に配分して形成し、それと対応する上記脱臭フィルタＣ１、Ｃ２と同様の脱臭フィルタＣ３に上記凸部Ｓ１０と嵌着可能な凹部Ｓ２０を配設して、上記凸部Ｓ１０と上記凹部Ｓ２０との嵌着によって、上記羽根体Ｂ１０に上記脱臭フィルタＣ３をワンタッチで固着する構成のプロペラファンＡ３としても良い。このように構成しても、上記実施例と全く同様な効果を得ることができる。
【００４２】
また、上記羽根体Ｂ１０と上記脱臭フィルタを同時樹脂成形又は接着剤などによって完全に固着して、プロペラファンごと交換する構成としても良い。つまり、この場合には、上記プロペラファンはいわゆる「使い捨て」となる。
【００４３】
また、上記実施例では、上記脱臭フィルタＣ１の上記プロペラファンＡ１の段差部への固着が、上記プロペラファンＡ１の気体を圧送する面の裏面側としているが、それのみに限定されるものではなく、図１１及び図１２に示すように、脱臭フィルタＣ４の上記プロペラファンＡ４の段差部への固着が、上記プロペラファンＡ４の気体を圧送する面側とすることもできる。つまり、上記実施例とは逆に、上記３枚の羽根体Ｂ１００の表面側（風が圧送される面側）に、段差部Ｂ１００ａを形成して、該段差部Ｂ１００ａに脱臭フィルタＣ４を固着する。このように構成した場合には、上記脱臭フィルタＣ４の上記プロペラファンＡ４の段差部Ｂ１００ａへの固着が、上記プロペラファンＡ４の気体を圧送する面側となっているため、上記脱臭フィルタＣ４が上記プロペラファンＡ４の表層により突出して十分に空気と上記脱臭フィルタＣ４が接触しえて、上記脱臭フィルタＣ４による空気の脱臭及び清浄化能力をより高めることができる。
【００４４】
また、本願発明では、プロペラファン用脱臭フィルタが静電フィルタと活性炭フィルタからなる二層構造になされているが、それのみに限定されず、いずれか一方のみの構成、或いは他の部材からなるものであっても良く、圧送風の脱臭、或いは清浄化機能を有するものであれば、全て含まれる。
【００４５】
また、プロペラファン用脱臭フィルタの形状においても、略三日月状、略楕円状、略長方形状、略円形状など任意の形状で良い。
【図面の簡単な説明】
【００４６】
【図１】本発明の実施例に基づくプロペラファンを示す構成図である。
【図２】本発明の実施例に基づくファン本体の気体を圧送する面の裏面側を示す図面である。
【図３】図２におけるＷ−Ｗ断面図である。
【図４】プロペラファン用脱臭フィルタの外観を示す平面図である。
【図５】図４におけるＱ−Ｑ断面図である。
【図６】ファン本体にプロペラファン用脱臭フィルタを装着する状態を示す説明図である。
【図７】図６におけるＲ−Ｒ断面図である。
【図８】本発明プロペラファンを装着した扇風機の要部を示す正面図である。
【図９】ファン本体にプロペラファン用脱臭フィルタを、面ファスナーによって装着する状態を示す説明図である。
【図１０】ファン本体にプロペラファン用脱臭フィルタを、凹部と凸部との嵌着によって装着する状態を示す説明図である。
【図１１】プロペラファン用脱臭フィルタのプロペラファンの段差部への固着が、プロペラファンの気体を圧送する面側である例を示す構成図である。
【図１２】図１１におけるＳ−Ｓ断面図である。
【符号の説明】
【００４７】
Ａ１、Ａ２、Ａ３、Ａ４  プロペラファン
Ｂ１、Ｂ２、Ｂ３、Ｂ４  ファン本体
Ｂ１０、Ｂ１００  羽根体
Ｂ１０ａ、Ｂ１００ａ  段差部
Ｂ１２、Ｂ１２０  開口部
Ｃ１、Ｃ２、Ｃ３、Ｃ４  プロペラファン用脱臭フィルタ
Ｃ１０  静電フィルタ
Ｃ２０  活性炭フィルタ
Ｍ１０、Ｍ２０  面ファスナー
Ｓ１０  凸部
Ｓ２０  凹部
Ｔ１０  両面接着テープ
【図１】
2007009923.tif 000003
【図２】
2007009923.tif 000004
【図３】
2007009923.tif 000005
【図４】
2007009923.tif 000006
【図５】
2007009923.tif 000007
【図６】
2007009923.tif 000008
【図７】
2007009923.tif 000009
【図８】
2007009923.tif 000010
【図９】
2007009923.tif 000011
【図１０】
2007009923.tif 000012
【図１１】
2007009923.tif 000013
【図１２】
2007009923.tif 000014
【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
任意枚数の羽根体を有し、回動させることにより前方に空気を圧送するプロペラファンであって、
上記羽根体に開口部を形成するとともに、該開口部をプロペラファン用脱臭フィルタで封止するべくなしたことを特徴とするプロペラファン。
【請求項２】
上記プロペラファン用脱臭フィルタの上記プロペラファンへの固着が、面ファスナーによって着脱自在になされたものであることを特徴とする請求項１に記載のプロペラファン。
【請求項３】
上記プロペラファン用脱臭フィルタの上記プロペラファンへの固着が、両面接着テープによって着脱自在になされたものであることを特徴とする請求項１に記載のプロペラファン。
【請求項４】
上記プロペラファン用脱臭フィルタの上記プロペラファンへの固着が、凹部と凸部との嵌着によって着脱自在になされたものであることを特徴とする請求項１に記載のプロペラファン。
【請求項５】
上記プロペラファン用脱臭フィルタが、活性炭によるものであることを特徴とする請求項１又は２又は３又は４に記載のプロペラファン。
【請求項６】
上記プロペラファン用脱臭フィルタが、静電フィルタによるものであることを特徴とする請求項１又は２又は３又は４に記載のプロペラファン。
【請求項７】
上記プロペラファン用脱臭フィルタが、活性炭と静電フィルタを組み合わせたものであることを特徴とする請求項１又は２又は３又は４に記載のプロペラファン。
【請求項８】
上記請求項１又は２又は３又は４又は５又は６又は７に記載のプロペラファンが装着されていることを特徴とする扇風機。
【請求項９】
装着されるプロペラファンに形成されている開口部を封止可能な外形に形成されることを特徴とするプロペラファン用脱臭フィルタ。
【請求項１０】
表層側には静電気が帯電した静電フィルタが配設され、該静電フィルタの内側には該静電フィルタに被包される活性炭粒子を含有する活性炭フィルタが配設された二層構造になされることを特徴とする請求項９に記載のプロペラファン用脱臭フィルタ。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
また、第２には、上記第１の構成において、上記プロペラファン用脱臭フィルタの上記プロペラファンへの固着が、面ファスナーによって着脱自在になされたものであることを特徴とする。また、第３には、上記第１の構成において、上記プロペラファン用脱臭フィルタの上記プロペラファンへの固着が、両面接着テープによって着脱自在になされたものであることを特徴とする。また、第４には、上記第１の構成において、上記プロペラファン用脱臭フィルタの上記プロペラファンへの固着が、凹部と凸部との嵌着によって着脱自在になされたものであることを特徴とする。
【手続補正９】
【補正対象書類名】明細書
【補正対象項目名】００１７
【補正方法】変更
【補正の内容】
【００１７】
この第２又は３又は４の構成のプロペラファンにおいては、上記プロペラファン用脱臭フィルタの上記プロペラファンへの固着が、簡略な構成によって着脱自在になされているため、上記プロペラファン用脱臭フィルタの交換を容易に行うことが可能になる。
【手続補正１０】
【補正対象書類名】明細書
【補正対象項目名】００１８
【補正方法】変更
【補正の内容】
【００１８】
また、第５には、上記第１又は２又は３又は４の構成において、上記プロペラファン用脱臭フィルタが、活性炭によるものであることを特徴とする。また、第６には、上記第１又は２又は３又は４の構成において、上記プロペラファン用脱臭フィルタが、静電フィルタによるものであることを特徴とする。また、第７には、上記第１又は２又は３又は４の構成において、上記プロペラファン用脱臭フィルタが、活性炭と静電フィルタを組み合わせたものであることを特徴とする。
【手続補正１１】
【補正対象書類名】明細書
【補正対象項目名】００１９
【補正方法】変更
【補正の内容】
【００１９】
この第５又は６又は７の構成のプロペラファンにおいては、安価で簡略な構成によって、圧送風の脱臭及び清浄化について、十分な効果を有するプロペラファン用脱臭フィルタとすることが可能になる。特に、上記プロペラファン用脱臭フィルタに静電フィルタを用いたものにあっては、摩擦によって帯電を高めることができるものである場合には、上記プロペラファンの回転速度を高めるほど上記静電フィルタの静電気の帯電を高めることができるため、上記プロペラファン用脱臭フィルタの脱臭効果を更に高めることができるなど独特の効果を有するものとなる。
【手続補正１２】
【補正対象書類名】明細書
【補正対象項目名】００２０
【補正方法】変更
【補正の内容】
【００２０】
また、第８には、上記第１又は２又は３又は４又は５又は６又は７の構成のプロペラファンが装着されていることを特徴とする。よって、軽量で薄型な構成で圧送風の脱臭及び清浄化を図ることができる扇風機とすることが可能になる。
【手続補正１３】
【補正対象書類名】明細書
【補正対象項目名】００２１
【補正方法】変更
【補正の内容】
【００２１】
また、第９には、装着されるプロペラファンに形成されている開口部を封止可能な外形に形成されることを特徴とする。
【手続補正１４】
【補正対象書類名】明細書
【補正対象項目名】００２２
【補正方法】変更
【補正の内容】
【００２２】
この第９の構成のプロペラファン用脱臭フィルタにおいては、好適にプロペラファンに形成されている開口部を封止することができ、プロペラファンとプロペラファン用脱臭フィルタとを、より一体化することが可能になる。
【手続補正１５】
【補正対象書類名】明細書
【補正対象項目名】００２３
【補正方法】変更
【補正の内容】
【００２３】
また、第１０には、上記第９の構成において、表層側には静電気が帯電した静電フィルタが配設され、該静電フィルタの内側には該静電フィルタに被包される活性炭粒子を含有する活性炭フィルタが配設された二層構造になされることを特徴とする。
【手続補正１６】
【補正対象書類名】明細書
【補正対象項目名】００２４
【補正方法】変更
【補正の内容】
【００２４】
この第１０の構成のプロペラファン用脱臭フィルタにおいては、表層側には静電気が帯電した静電フィルタが配設され、該静電フィルタの内側には該静電フィルタに被包される活性炭粒子を含有する活性炭フィルタが配設された二層構造になされているため、圧送風の脱臭及び清浄化機能をより高めることができる。